(57)【特許請求の範囲】
【請求項１】
天井スラブより垂下する吊手段により格子状のパネル支持フレームを吊支し、このパネル支持フレームにおける複数の方形枠部内に、それぞれ天井パネルを装着してなる天井構造において、
前記複数の天井パネルのいずれかは、前記天井スラブと前記天井パネルとの間の内部空間に収容した音響機器よりの音を室内に放射可能な開口部を有する音響用パネルと、空調機器よりの空気を室内に吹出し可能な開口部を有する空調用パネルと、で構成され、前記音響用パネルと空調用パネルの開口部の形状は、ほぼ同形となっており、
前記音響用パネルの上面には、前記音響機器より放射される音を音響用パネルの開口部側に誘導する音誘導板が設けられていることを特徴とする天井構造。
【請求項２】
前記音響用パネルと空調用パネルの開口部を、方形枠部の４辺に沿って設けたことを特徴とする請求項１に記載の天井構造。
【請求項３】
前記音響用パネルと天井スラブとの対向面間に、周囲が側面板により閉塞された閉塞空間を形成し、該閉塞空間に前記音響機器を収容したことを特徴とする請求項１または２に記載の天井構造。
【請求項４】
前記音誘導板を四角錐または円錐形としたことを特徴とする請求項１ないし３のいずれかに記載の天井構造。
【発明の詳細な説明】
【技術分野】
【０００１】
本発明は、オフィスや公共施設等において、室内の天井スラブより垂下する吊手段により格子状のパネル支持フレームを吊支し、このパネル支持フレームにおける複数の方形枠部内に、それぞれ天井パネルを装着してなる天井構造に関する。
【背景技術】
【０００２】
室内の天井スラブより垂下する吊手段により格子状のパネル支持フレームを吊支し、このパネル支持フレームにおける複数の方形枠部内に、それぞれ天井パネルを装着してなる天井構造は、例えば、特許文献１に記載されており、公知である。また、特許文献２に記載されているように、天井パネルの一部に、埋め込み型のスピーカーを取り付け、このスピーカーの音を直接室内に放射するようにしたものや、特許文献３に記載されているように、方形をなす天井パネルの中央部にスピーカーを取り付け、このスピーカーを囲むパネル面に、天井裏に設けた空調機器からの空気の吹出口を設けたものがある。
【先行技術文献】
【特許文献】
【０００３】
【特許文献１】特開２００４−３１６３６８号公報
【特許文献２】特開２００９−１７１０２号公報
【特許文献３】特開平５−１３３５８２号公報
【発明の概要】
【発明が解決しようとする課題】
【０００４】
前記特許文献２に記載されているものは、スピーカーを埋め込んだ部分の天井パネルの形状が、他の部分の天井パネルの形状と異なるので、天井面の体裁が悪くなる。また、特許文献３に記載されているものにおいては、スピーカーが天井パネルの下面に露呈しているので、見栄えが悪く、またスピーカーを囲むパネル面に空気の吹出口を設けてあるので、スピーカー及び空気の吹出口を設けた部分の天井パネルの形状が、他の部分の天井パネルの形状と大きく異なる。そのため、スピーカーを取り付けた部分のパネルと他の部分のパネルとのデザインを統一することができず、天井面の体裁や美観が悪くなるという問題がある。
【０００５】
本発明は、このような課題に着目してなされたもので、複数の天井パネルのいずれかを、開口部の形状をほぼ同形とした、音響機器よりの音を室内に放射可能な音響用パネルと、空調機器よりの空気を室内に吹出し可能な空調用パネルとのいずれかに交換可能とし、いずれのパネルに交換しても天井面のデザインを統一して、その体裁や美観を向上させうるようにした天井構造を提供することを目的としている。
【課題を解決するための手段】
【０００６】
前記課題を解決するために、本発明の天井構造は、
天井スラブより垂下する吊手段により格子状のパネル支持フレームを吊支し、このパネル支持フレームにおける複数の方形枠部内に、それぞれ天井パネルを装着してなる天井構造において、
前記複数の天井パネルのいずれかは、前記天井スラブと前記天井パネルとの間の内部空間に収容した音響機器よりの音を室内に放射可能な開口部を有する音響用パネルと、空調機器よりの空気を室内に吹出し可能な開口部を有する空調用パネルと、で構成され、前記音響用パネルと空調用パネルの開口部の形状は、ほぼ同形となっており、
前記音響用パネルの上面には、前記音響機器より放射される音を音響用パネルの開口部側に誘導する音誘導板が設けられていることを特徴としている。
この特徴によれば、複数の天井パネルのいずれかを、音響用パネルと空調用パネルとのいずれのパネルに交換しても、または、天井パネルの複数を、それぞれ音響用パネルと空調用パネルに交換したとしても、違和感がなく、天井面のデザインが統一されるので、その体裁や美観を向上させることができる。また、音響機器よりの音を音響用パネルの開口部に向かって効果的に放射することができる。
【０００７】
本発明の天井構造は、
前記音響用パネルと空調用パネルの開口部を、方形枠部の４辺に沿って設けたことを特徴としている。
この特徴によれば、各パネルの開口部より、音または空気が室内に広範囲に拡散されて放出される。
【０００８】
本発明の天井構造は、
前記音響用パネルと天井スラブとの対向面間に、周囲が側面板により閉塞された閉塞空間を形成し、該閉塞空間に前記音響機器を収容したことを特徴としている。
この特徴によれば、音響機器よりの音が周囲に拡散せず、音響用パネルに向かって集中的に放射することができる。
【００１０】
本発明の天井構造は、
前記音誘導板を四角錐または円錐形としたことを特徴としている。
この特徴によれば、音響用パネルの外周部に、底面視方形または円形の開口部を設けた際に、音響機器よりの音を、全ての開口部に向かって効果的に放射することができる。
【図面の簡単な説明】
【００１１】
【図１】本発明の天井構造を、天井スラブと部屋の側壁の一部を切り欠いて示す上方斜視図である。
【図２】（ａ）は、交換前の天井パネルを、（ｂ）は、音響用パネルまたは空調用パネルに交換した状態を示す下方斜視図である。
【図３】図１のIII−III線に沿う拡大縦断側面図である。
【図４】空調用パネルに交換したときの図３と同部位の縦断側面図である。
【発明を実施するための形態】
【００１２】
本発明に係る天井構造を実施するための形態を実施例に基づいて以下に説明する。
【００１３】
図１は、本発明の天井構造を、天井スラブ１と部屋の側壁２の一部を切り欠いて示す上方斜視図で、天井スラブ１より垂下する吊手段としての複数の吊支杆３の下端により、格子状をなすパネル支持フレーム４が吊支されている。また、パネル支持フレーム４における複数の方形枠部５内には、天井パネル６が上方より嵌合されている。
【００１４】
本発明の天井構造においては、図２の（ａ）に示すように、複数の天井パネル６のいずれかを、図２の（ｂ）に示すように、開口部の形状をほぼ同形とした、音響機器よりの音を室内に放射可能な音響用パネル７と、空調機器よりの空気を室内に吹出し可能な空調用パネル８とのいずれかに交換可能としてある。
【００１５】
図３は、図１のIII−III線に沿う拡大縦断側面図で、複数の天井パネル６のうちの１枚を、音響用パネル７に交換した例である。この例では、天井スラブ１と天井パネル６との間の内部空間に、中央部にスピーカーが配置された音響機器９を収容し、この音響機器９からの音を、音響用パネル７を介して室内に放射されるようにしてある。
【００１６】
図３に示すように、音響機器９は、上面板１０ａと４枚の側面板１０ｂとからなる下面が開口する箱状のケース１０内に、次のようにして収容されている。すなわち、音響機器９の長手方向の２箇所に、上向コ字状をなす支持金具１１、１１を下方より嵌合し、両支持金具１１の上端の外向片１１ａとケース１０の上面板１０ａとを、上面板１０ａに上方より挿入した４個のボルト１２と、それらの下端部に螺合したナット１３とにより結合することにより、音響機器９は、ケース１０の上面板１０ａの下面に、音を下方に放射しうるようにして取り付けられている。また、音響機器９から延びるケーブル１４等は、ケース１０の上面板１０ａに形成された穴から導出される。
【００１７】
音響用パネル７は、上端の方形をなす開口部がケース１０の下面とほぼ同じ大きさで、かつ外周部の下端面が方形枠部５の上面に載置可能な方形をなす形状とされ、中央部を除いた外周部には、室内に向かってハの字状に開口する内外複数の開口部１６が、方形枠部５の４辺に沿って形成されている。それぞれの開口部１６は、上下両方向に開口するとともに、コーナー部において互いに連通している（図２（ｂ）参照）。
【００１８】
音響用パネル７における平面視方形をなす最外側の側板７ａの上端部の複数箇所は、ケース１０の側面板１０ｂの下端部の外面に、ねじ１７によって固定され、音響用パネル７の上方には閉塞空間Ｓが形成されている。
【００１９】
音響用パネル７の中央部の上板７ｂの上面には、四角錐または円錐状の音誘導板１８が固定され、図３の矢印で示すように、音響機器９の中央部のスピーカーより出た音が、音誘導板１８により開口部１６に向かって誘導されるようにしてある。
【００２０】
次に、図４を参照して、複数の天井パネル６のうちの１枚を、空調機器よりの空気を室内に吹出し可能な空調用パネル８に交換した例について説明する。なお、前記音響用パネル７と同様の部材には、同じ符号を付して、その詳細な説明を省略する。
【００２１】
空調用パネル８は、その外周部の下端面を方形枠部５の上面に、吊支杆３と近接するように載置することにより、方形枠部５に装着されている。なお、空調用パネル８の万一の落下を防止するために、その側板８ａの上端部外周面の複数箇所を、ワイヤ１９をもって複数の吊支杆３に連結してある。
【００２２】
空調用パネル８の外周部には、前記音響用パネル７と同形の内外複数の開口部１６が形成され、室内より見た形状は音響用パネル７と同形とされている。
【００２３】
空調用パネル８の側板８ａの上端には、各開口部１６と連通する上面中央が開口された空気導入室２０が連設され、開口部の上向きの円筒部２１に接続された蛇腹状のダクト２２を介して、図示しない空調機器からの空気が空調用パネル８に導入されるようになっている。
【００２４】
以上説明したように、上述した実施例の天井構造においては、天井スラブ１により、パネル支持フレーム４を介して吊支された複数の天井パネル６のいずれかを、開口部１６の形状を同形とした、音響機器９よりの音を室内に放射可能な音響用パネル７と、空調機器よりの空気を室内に吹出し可能な空調用パネル８とのいずれかに交換可能とし、かつ音響用パネル７と空調用パネル８との開口部１６の形状を同形としたことにより、音響用パネル７及び空調用パネル８のいずれのパネルに交換しても、または、天井パネル６の複数を、それぞれ音響用パネル７と空調用パネル８に交換したとしても、違和感がなく、天井面のデザインを統一することができるで、その体裁や美観を向上させることができる。
【００２５】
また、音響用パネル７に交換した際において、天井裏に収容した音響機器９を、外周面が閉塞された閉塞空間Ｓ、すなわち下面のみが開口するケース１０内に収容してあるので、音響機器９よりの音が周囲に拡散せず、音響用パネル７に向かって集中的に放射することができる。
【００２６】
さらに、音響用パネル７の中央部の上面に、四角錐または円錐状の音誘導板１８を設けたことにより、音響機器９よりの音を音響用パネル７の開口部に向かって効果的に放射することができる。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
前記実施例では、音響機器９を、下面が開口するケース１０内の下面に取り付け、このケース１０を天井スラブ１の下面に固定しているが、音響機器９を直接天井スラブ１の下面に取り付けてもよい。この際には、天井スラブ１と音響用パネル７との対向面間に、周囲が側面板により閉塞された閉塞空間を形成して、音の拡散を防止するようにすればよい。
【００２９】
また、前記実施例では、空調用パネル８の上部を、ダクト２２を介して空調機器に接続してあるが、空調用パネル８の上方の天井スラブ１に空調機器を取り付け、この空調機器より吐出される空気を直接空調用パネル８に導入するようにすることもできる。
【００３０】
さらに、前記実施例では、複数の天井パネル６のうちの１枚を、音響用パネル７または空調用パネル８に交換した例を説明したが、複数の天井パネル６を、音響用パネル７または空調用パネル８に交換することもある。
【００３１】
なお、音響用パネル７及び空調用パネル８に形成された開口部１６の形状は、前記実施例に限定されるものではなく、互いにほぼ同じ形状であればどのような形状であってもよい。
【符号の説明】
【００３２】
１                天井スラブ
２                側壁
３                吊支杆（吊手段）
４                パネル支持フレーム
５                方形枠部
６                天井パネル
７                音響用パネル
７ａ              側板
７ｂ              上板
８                空調用パネル
８ａ              側板
９                音響機器
１０              ケース
１０ａ            上面板
１０ｂ            側面板
１１              支持金具
１１ａ            外向片
１２              ボルト
１３              ナット
１４              ケーブル
１５              ボルト
１６              開口部
１７              ねじ
１８              音誘導板
１９              ワイヤ
２０              空気導入室
２１              円筒部
２２              ダクト
Ｓ                閉塞空間
【図１】
0005977552.tif 000002
【図２】
0005977552.tif 000003
【図３】
0005977552.tif 000004
【図４】
0005977552.tif 000005